(57)【要約】【課題】複数の鶏室を備えるウインドウレス鶏舎において各鶏室を実質的な密閉空間として相互に独立させ、一方の鶏室内の環境が他方の鶏室内の環境に影響しないようにする。【解決手段】この発明のウインドウレス鶏舎１は各々独立した第１の鶏室１１ａ及び第２の鶏室１１ｂと、第１の鶏室１１ａから独立した第１のコントロール室２１ａと、第２の鶏室１１ｂから独立した第２のコントロール室２１ｂと、第１のコントロール室２１ａ及び第２のコントロール室２１ｂを貫通して配置される集卵コンベア３１と、第１の鶏室１１ａの卵を第１のコントロール室２１ａ内の集卵コンベア３１へ移送する第１のコンベア４１〜４４と、第２の鶏室１１ｂの卵を第２のコントロール室２１ｂ内の集卵コンベア３１へ移送する第２のコンベア５１〜５４と、を備える。このウインドウレス鶏舎１によれば、集卵コンベア３１が第１の鶏室１１ａ及び第２の鶏室１１ｂを通過しない。【選択図】    図１
2010110275.tif 000002
【特許請求の範囲】
【請求項１】
各々独立した第１の鶏室及び第２の鶏室と、
前記第１の鶏室から独立した第１のコントロール室と、
前記第２の鶏室から独立した第２のコントロール室と、
前記第１のコントロール室及び第２のコントロール室を貫通して配置される集卵コンベアと、
前記第１の鶏室の卵を前記第１のコントロール室内の前記集卵コンベアへ移送する第１のコンベアと、
前記第２の鶏室の卵を前記第２のコントロール室内の前記集卵コンベアへ移送する第２のコンベアと、
を備えることを特徴とするウインドウレス鶏舎。
【請求項２】
前記第１のコントロール室を前記第１の鶏室の上に配置し、
前記第２のコントロール室を前記第２の鶏室の上に配置する、
ことを特徴とする請求項１に記載のウインドウレス鶏舎。
【請求項３】
前記第１の鶏室の長手方向に沿って配設されて前記第１の鶏室へ開口する第１の換気口を有する第１のダクトと、前記第１の鶏室を負圧状態にする第１の排気ファンと、前記第１のダクトを加圧状態にする第１の吸気ファンと、
前記第２の鶏室の長手方向に沿って配設されて前記第２の鶏室へ開口する第２の換気口を有する第２のダクトと、前記第２の鶏室を負圧状態にする第２の排気ファンと、前記第２のダクトを加圧状態にする第２の吸気ファンと、が更に設けられる、ことを特徴とする請求項１又は請求項２に記載のウインドウレス鶏舎。
【請求項４】
前記第１の鶏室と前記第２の鶏室との間に第３のダクトが設けられ、前記第３のダクトは前記第１の鶏室へ開口する第３の換気口と前記第２の鶏室へ開口する第４の換気口とを備え、該第３のダクトには該第３のダクトを加圧状態にする第３の吸気ファンが備えられる、ことを特徴とする請求項３に記載のウインドウレス鶏舎。
【請求項５】
前記第１の鶏室と前記第２の鶏室とは鶏舎において平行に配置され、前記第１のダクトは前記第１の鶏室の鶏舎外壁側に配置され、前記第２のダクトは第２の鶏室の鶏舎外壁側に配置され、前記第３のダクトは前記第１の鶏室と前記第２の鶏室との間に配置され、前記第１〜第３のダクトは人が通行可能な空間部を備える、ことを特徴とする、請求項４に記載のウインドウレス鶏舎。
【発明の詳細な説明】
【産業上の利用分野】
【０００１】
本発明はウインドウレス鶏舎に関する。
【背景技術】
【０００２】
一般的にウインドウレス鶏舎では複数の鶏室が平行に配列される。ウインドウレスと称されるように各鶏室は実質的に外部環境から隔離されており、それぞれが密閉された空間となる。鶏室内を養鶏に適した環境に維持するためである。
鶏室内には多段に積み重ねられた養鶏用ケージが複数列に配置されている。ケージの列に沿って水平方向コンベアが配設され、ケージ内の鶏が産んだ卵を受ける。鶏室内の所定箇所に上下方向コンベアが配置される。水平方向コンベアにより移送される卵は上下方向コンベアへ受け渡されて、更に卵は上下方向コンベアから集卵コンベアへと受け渡される。
この集卵コンベアは上下方向コンベアから受け取った卵を鶏室外へ搬出する。
一般的なウインドウレス鶏舎では、１本の集卵コンベアが各鶏室を貫通しており、各鶏室の上下方向コンベアからの卵がこの集卵コンベアへ受け渡されて、集卵コンベアの端末に位置する集卵ポートへ集められる。
本発明に関連する文献として特許文献１及び特許文献２を参照されたい。
【特許文献１】特開平６−１９７６５４
【特許文献２】特許第３８８１９１３号
【発明の開示】
【発明が解決しようとする課題】
【０００３】
ウインドウレス鶏舎の鶏室はその内部環境が養鶏にとって最適な環境となるように、当該内部環境を外部環境から隔離しようとするものである。しかしながら、集卵コンベアが各鶏室を貫通しているので、鶏室−鶏室間の環境は完全に遮断されていない。
例えば、１つの鶏室内で感染症が発病したとしても、鶏室が完全に密閉可能であれば（即ち他の鶏室から完全に遮断できれば）、他の鶏室へ病気が感染することはない。感染症の処置としても感染症が発病した１つの鶏室内のみを消毒すればよい。しかしながら、従来のウインドウレス鶏舎では集卵コンベアが鶏室を貫通しているので、この点で鶏室が完全に密閉されているはいえない。感染症の発病した鶏の産んだ卵は、鶏室内の水平方向コンベア及び上下方向コンベアを介して集卵コンベアへ受け渡され、その卵は、他の鶏室内を通過して集卵ポートへ移送される。当該卵が他の鶏室内を通過するときに、感染症源となることを否定できない。
また、鶏の入替え時の鶏室内の清掃においても、他の鶏室では養鶏が継続されているので、清掃時の消毒液が集卵コンベアを介して当該他の鶏室へ運ばれて、産卵中の鶏に影響をあたえるおそれもある。
【課題を解決するための手段】
【０００４】
この発明は上記課題を解決するためになされた。即ち、この発明の第１の局面は次のように規定される。
各々独立した第１の鶏室及び第２の鶏室と、
前記第１の鶏室から独立した第１のコントロール室と、
前記第２の鶏室から独立した第２のコントロール室と、
前記第１のコントロール室及び第２のコントロール室を貫通して配置される集卵コンベアと、
前記第１の鶏室の卵を前記第１のコントロール室内の前記集卵コンベアへ移送する第１のコンベアと、
前記第２の鶏室の卵を前記第２のコントロール室内の前記集卵コンベアへ移送する第２のコンベアと、を備えることを特徴とするウインドウレス鶏舎。
【０００５】
このように規定される第１の局面のウインドウレス鶏舎によれば、各鶏室から独立したコントロール室を設け、各鶏室の卵をこのコントロール室へ集めるとともに、集卵コンベアがこのコントロール室を貫通するようにした。卵の移送方向が鶏室  →  コントロール室  →  集卵コンベア  であって、その逆方向の移送をなくしたため、集卵コンベアを介して外部から鶏室が汚染されることはほとんどなくなる。
さらには、感染症の発生や鶏の交換時等において鶏室内の消毒が必要な場合には、第１のコンベアを止めるという簡易な方策により、第１の鶏室内の環境と第１のコントロール室内の環境をより確実に遮蔽できる。これにより、第１の鶏室内を実質的な密閉空間として、外部及び他の鶏室から有効に隔離できる。
【０００６】
この発明の第２の局面は次のように規定される。
即ち、第１の局面で規定されるウインドウレス鶏舎において、前記第１のコントロール室を前記第１の鶏室の上に配置し、前記第２のコントロール室を前記第２の鶏室の上に配置する。
このように規定される第２の局面のウインドウレス鶏舎によれば、第１のコントロール室を第１の鶏室の上に位置させ、第２のコントロール室を第２の鶏室の上に位置させた。これにより、鶏舎の敷地面積を増加させることなく、コントロール室を鶏室に付設できる。換言すれば、コンパクトな鶏舎の設計が可能となる。
各鶏室とコントロール室との間には両者を独立させるための隔壁が設けられる。
この隔壁に充分な剛性を付与すれば、コントロール室に他の施設を配設することが可能となる。例えば、給餌、給水などの飼養設備をコントロール室へ配設し、このコントロール室から鶏室内へ給餌、給水などを行えるようにすることが好ましい。
【０００７】
なお、第１のコントロール室と第１の鶏室との隔壁には第１のコンベアが通され、第２のコントロール室と第２の鶏室との隔壁には第２のコンベアが通される。
各鶏室とコントロール室との独立性を担保するため、第１のコンベア及び第２のコンベアを可動式として、必要に応じて各鶏室内へ完全に収納可能とする。そして、各コンベアを通すために隔壁に形成された穴部を気密に閉塞することが好ましい。
【０００８】
この発明の第３の局面は次のように規定される。即ち、
第１又は第２の局面に記載のウインドウレス鶏舎において、前記第１の鶏室の長手方向に沿って配設されて前記第１の鶏室へ開口する第１の換気口を有する第１のダクトと、前記第１の鶏室を負圧状態にする第１の排気ファンと、前記第１のダクトを加圧状態にする第１の吸気ファンと、
前記第２の鶏室の長手方向に沿って配設されて前記第２の鶏室へ開口する第２の換気口を有する第２のダクトと、前記第２の鶏室を負圧状態にする第２の排気ファンと、前記第２のダクトを加圧状態にする第２の吸気ファンと、が更に設けられる。
このように規定される第３の局面のウインドウレス鶏舎によれば、各鶏室に沿ってダクトが設けられ、鶏室側を負圧にダクト側を加圧にしているので、換気口を開いたときには必ず空気がダクト側から鶏室側へ流れ、鶏室側からダクト側へ逆流することはない。即ち、鶏室内のコンタミがダクトへ逆流することはなく、鶏室に付設された排気ファン（鶏室内を負圧に維持している）により鶏室内の空気は確実に排気される。
なお、この第３の局面で規定される要件は、第１の局面及び第２の局面とは分離して、独立した発明を構成可能である。
【０００９】
この発明の第４の局面は次のように規定される。即ち、
第３の局面のウインドウレス鶏舎において、前記第１の鶏室と前記第２の鶏室との間に第３のダクトが設けられ、前記第３のダクトは前記第１の鶏室へ開口する第３の換気口と前記第２の鶏室へ開口する第４の換気口とを備え、該第３のダクトには該第３のダクトを加圧状態にする第３の吸気ファンが備えられる。
このように規定される第４の局面のウインドウレス鶏舎によれば、第１の鶏室と第２の鶏室との間に第３のダクトが設けられているので、鶏舎をコンパクトに維持しつつ、第１の鶏室と第２の鶏室に対する換気効率を向上させる。
【００１０】
ダクトを備えた鶏舎の更なるコンパクト化を図るため、第５の局面の発明が規定された。即ち、前記第１の鶏室と前記第２の鶏室とは鶏舎において平行に配置され、前記第１のダクトは前記第１の鶏室の鶏舎外壁側に配置され、前記第２のダクトは第２の鶏室の鶏舎外壁側に配置され、前記第３のダクトは前記第１の鶏室と前記第２の鶏室との間に配置され、前記第１〜第３のダクトは人が通行可能な空間部を備える。
【００１１】
第４及び第５の局面のウインドウレス鶏舎においても、第３のダクトは加圧状態にあり、他方第１及び第２の鶏室は負圧状態にあるので、第１及び第２の鶏室の間に第３のダクトが存在しても、第１の鶏室のコンタミが第２の鶏室を汚染することはない。
更に第５の局面のウインドウレス鶏舎によればダクト内を人が通行可能であるため、換気口の開閉などの作業を効率よく行える。
【実施例】
【００１２】
以下、この発明の実施例について説明をする。
図１は、本発明の実施の形態に係るウインドウレス鶏舎の垂直横断面図である。
ウインドウレス鶏舎１は２つの棟３、４を有し、第１の棟３に第１の鶏室１１ａ及び第１のコントロール室２１ａが形成され、第２の棟４に第２の鶏室１１ｂ及び第２のコントロール室２１ｂが形成されている。第１の鶏室１１ａと第１のコントロール室２１ａとの間には第１のコンベア４１〜４４が架設され、第２の鶏室１１ｂと第２のコントロール室２１ｂとの間には第２のコンベア５１〜５４が架設される。集卵コンベア３１は第１のコントロール室２１ａと第２のコントロール室２１ｂを貫通して配置される。第１のコントロール室２１ａ内において集卵コンベア３１と第１のコンベア４１〜４４とは連結されて、第１のコンベア４１〜４４により移送される第１の鶏室１１ａからの卵が集卵コンベア３１へ引き渡される。同様に、第２のコントロール室２１ｂ内において集卵コンベア３１と第２のコンベア５１〜５４とは連結されて、第２のコンベア５１〜５４により移送される第２の鶏室１１ｂからの卵が集卵コンベア３１へ引き渡される。
【００１３】
ウインドウレス鶏舎１が有する各鶏室１１ａ及び１１ｂには、図示しないが、鶏を収容する養鶏用ケージ（以下、単にケージと称する。）が多段に積み重ねられ、また複数列に配置されている。ケージ内の鶏が産んだ卵は、ケージ列に沿って水平方向に配置された水平方向コンベア（図示していない）に受け取られ、ケージ列ごとに、例えば、第１の鶏室１１ａにおいて所定の位置に設けられた第１のコンベア４１〜４４へ、また第２の鶏室１１ｂにおいて所定の位置に設けられた第２のコンベア５１〜５４へと移送される。
第１のコンベア４１〜４４及び第２のコンベア５１〜５４は、それぞれ上下方向に稼働するコンベアであり、水平方向コンベアから受け取った卵を集卵コンベア３１に受け渡すよう構成されている。集卵コンベア３１は、コントロール室２１ａ及び２１ｂを貫通して配置されており、集卵コンベア３１によって運ばれる卵は、集卵コンベア端末に位置する集卵ポート（図示していない）に集められる。
【００１４】
本実施例において、第１のコントロール室２１ａ及び第２のコントロール室２１ｂ、集卵コンベア３１、並びに第１のコンベア４１〜４４及び第２のコンベア５１〜５４は、各鶏室１１ａ、１１ｂの上部に設置されている。これにより、鶏舎の敷地面積を増加させることなく、コントロール室を鶏室に付設できる。
コントロール室を鶏室に対して水平位置（紙面において厚み方向の位置）に設けることもできる。この場合、コントロール室と鶏室とをつなぐコンベアは水平方向に卵を移送する。
【００１５】
本発明において、鶏室からコントロール室を独立して設置するために、各鶏室とそれぞれのコントロール室との間には、両者を独立させるための第１の隔壁８ａ及び第２の隔壁８ｂが設けられる。隔壁を設けることにより、コントロール室に他の施設を配設することが可能となる。本実施例において、他の施設として、給餌、給水などの飼養設備６１〜６８を配設している。第１の隔壁８ａ及び第２の隔壁８ｂの材質としては、鶏室からコントロール室を独立して設置できればよく、特に限定されないが、飼養設備等を配設する場合には、充分な剛性を持つ材質とすることが好ましい。これにより、隔壁を足場としてコントロール室で自由に作業を行うことができる。飼養設備をコントロール室に配置することにより、コントロール室において鶏室全体をコントロール可能となり、作業性が向上する。
【００１６】
第１のコントロール室２１ａの第１の隔壁８ａには第１のコンベア４１〜４４が通され、第２のコントロール室２１ｂの第２の隔壁８ｂには第２のコンベア５１〜５４が通される。
符号４６〜符号４９は第１の隔壁８ａの位置で第１のコンベア４１〜４４を気密にシールするシール部材であり、同様に符号５６〜符号５９は第２の隔壁８ｂの位置で第２のコンベア５１〜５４を気密にシールするシール部材である。このシール部材として布、スポンジ、ゴム等の柔軟性のなる材料を選択でき、このシール部材を各コンベアと各隔壁との間に充填することにより、各鶏室と各コントロール室と隔離する。
【００１７】
次に、図２を用いて、例えば、感染症が発病した場合、あるいは、鶏の入れ替えに際して鶏室内を清掃、消毒する場合における、作業方法を説明する。例えば第１の鶏室１１ａ内において感染症が発病した等の場合、第１のコンベア４１〜４４を停止させると共に、シール部材４６〜４９を充填する。そして、第１の鶏室１１ａの清掃及び消毒を実行する。これにより、第１の鶏室１１ａの消毒が第１のコントロール室２１ａへ漏れ出すことがない。
このとき、第２の鶏室１１ｂでは養鶏が継続され、第２のコンベア５１〜５４及び集卵コンベア３１は可動状態であるが、第１の鶏室１１ａの消毒が第２の鶏室１１ｂに影響することはない。
【００１８】
また本発明の実施の形態に係るウインドウレス鶏舎１には、換気口を有する第１のダクト８１、８２及び第２のダクト８４、８５を備えていることが好ましい。図３に示すように、ウインドウレス鶏舎において、第１の鶏室１１ａの両側面長手方向に沿って第１のダクト８１及び８２が配設される。各ダクト８１及び８２には、第１の鶏室１１ａとの間に第３の隔壁８６、８７が設けられ、また、第３の隔壁８６、８７は第１の鶏室１１ａへ開口する第１の換気口８８、８９を有する。第１の鶏室１１ａを負圧状態にする第１の排気ファン９１と、第１のダクト８１、８２を加圧状態にする第１の吸気ファン９２、９３を備えている。
例えば第１の鶏室１１ａ側を負圧に、第１のダクト８１，８２側を加圧にすることによって、第１の換気口８８、８９を開いたときに、空気は第１の鶏室１１ａ側から第１のダクト８１，８２側へ逆流することなく、必ず第１のダクト８１，８２側から第１の鶏室１１ａ側へ流れ、第１の鶏室１１ａに付設された第１の排気ファン９１により確実に排気される。このような換気システムにより、本発明のウインドウレス鶏舎内は、外部環境から隔離されていても、最適な環境に調整することが可能となる。また、これらのダクトは、高さが鶏室１１ａと同じで幅が０．５ｍ〜３．０ｍであり人が歩いて通行可能な空間部を備えるよう、配置されている。これにより、作業者はダクト内を通行して第１の換気口８８、８９を手動で開閉できる。勿論、第１の換気口８８、８９を第１のコントロール室２１ａから遠隔操作により開閉すること、また、気温等に応じて自動的に開閉制御することも可能である。
第２の鶏室１１ｂにおける第２のダクト８４，８５においても、第１のそれらと同様に制御される。
【００１９】
以上、図３に示すように、ウインドウレス鶏舎において１つの棟に１つの鶏室が設けられている例を説明してきた。図４には１つの棟に２つの鶏室が並設されている例を示す。ウインドウレス鶏舎２は、１棟内に第１の鶏室１１０ａ、第２の鶏室１１０ｂ及び共通コントロール室１２０が形成されている。共通コントロール室１２０は、第１の鶏室１１０ａ及び第２の鶏室１１０ｂの上部に隔壁１０８を介して形成される。共通コントロール室１２０は第１の鶏室１１０ａに対する第１のコントロール室としての機能、及び第２の鶏室１１０ｂに対する第２のコントロール室としての機能を有する。図中の符号１２１、１２２は第１のコンベアを示し、符号１２３、１２４は第２のコンベアを示す。また、符号１２６、１２７は第１のシール部材を示し、符号１２８、１２９は第２のシール部材を示す。
【００２０】
図４に示すウインドウレス鶏舎２では第１の鶏室１１０ａと第２の鶏室１１０ｂとが並設されている。第１の鶏室１１０ａの鶏舎外壁側に第１のダクト１３１が設けられ、第２の鶏室１１０ｂの鶏舎外壁側に第２のダクト１３２が設けられ、また、第１の鶏室１１０ａと第２の鶏室１１０ｂとの間に第３のダクト１３３が配設される。第１のダクト１３１及び第２のダクト１３２には、各鶏室との間にそれぞれ第３の隔壁１４１及び第４の隔壁１４２が設けられ、また、両隔壁１４１及び１４２にはそれぞれ鶏室へ開口する第１の換気口１４５及び第２の換気口１４６が設けられている。さらに、第３のダクト１３３には、第１の鶏室１１０ａとの間に換気口（第３の換気口１４７）を有する第５の隔壁１４３及び第２の鶏室１１０ｂとの間に換気口(第４の換気口１４８)を有する第６の隔壁１４４が設けられている。ウインドウレス鶏舎２は、さらに、各鶏室１１０ａ、１１０ｂを負圧状態にするそれぞれ第１の排気ファン９４、第２の排気ファン９５と、各ダクト１３１、１３２及び１３３を加圧状態にする第１の吸気ファン９６、第２の吸気ファン９７及び第３の吸気ファン９８を備えている。
各ダクト１３１，１３２，１３３は、高さが鶏室１１ａと同じで幅が０．５ｍ〜３．０ｍであり作業員が歩いて通行可能な程度の内部空間を有することが好ましい。
【００２１】
ウインドウレス鶏舎２において、各ダクト１３１、１３２及び１３３は加圧状態に、一方各鶏室１１０ａ及び１１０ｂは負圧状態にあるため、第１の鶏室１１０ａと第２の鶏室１１０ｂの間に第３のダクト１３３が存在しても、一方の鶏室のコンタミが他方の鶏室を汚染することはない。
このように構成された鶏舎２によれば、第１の鶏室１１０ａと第２の鶏室１１０ｂとの上に独立した共通コントロール室１２０を設け、この共通コントロール室１２０へ集卵コンベア３１を通したので、第１の鶏室１１０ａ内環境と第２の鶏室１１０ｂ内環境とを確実に分離独立させられる。また、各ダクト１３１，１３２，１３３を加圧状態にし、他方各鶏室１１０ａ、１１０ｂを負圧状態にすることにより、たとえダクトと鶏室との間に換気口が飽いていても、一方の鶏室から他方の鶏室への空気の移動が防止される。よって、第１の鶏室１１０ａと第２の鶏室１１０ｂとの間に高い独立性が確保される。
【図面の簡単な説明】
【００２２】
【図１】この発明の実施例のウインドウレス鶏舎の構成を示す模式図である。
【図２】同じく第１の鶏室を清掃・消毒するときの動作状態を示す。
【図３】第１の鶏室に対する第１のダクトの配置状態を示す。
【図４】１つの棟に複数の鶏室が並設されるウインドウレス鶏舎の例を示す模式図である。
【符号の説明】
【００２３】
１、２  ウインドウレス鶏舎
８ａ、８ｂ、１０８  隔壁
１１ａ、１１０ａ  第１の鶏室
１１ｂ、１１０ｂ  第２の鶏室
２１ａ  第１のコントロール室
２１ｂ  第２のコントロール室
３１  集卵コンベア
４１〜４４、１２１、１２２  第１のコンベア
５１〜５４、１２４、１２５  第２の第１の穴部
８１，８２，１３１  第１のダクト
８４，８５，１３２  第２のダクト
８８，８９，１４５  第１の換気口
９１，９４  第１の排気ファン
９２，９３，９６  第１の吸気ファン
９５  第２の排気ファン
９７  第２の吸気ファン
９８  第３の吸気ファン
１２０  共通コントロール室
１３３  第３のダクト
１４６  第２の換気口
１４７  第３の換気口
１４８  第４の換気口
【図１】
2010110275.tif 000003
【図２】
2010110275.tif 000004
【図３】
2010110275.tif 000005
【図４】
2010110275.tif 000006